(57)【要約】【課題】２チャネル方式や狭帯域方式のオーディオデータとマルチチャネル方式や広帯域方式の高品質オーディオデータの両方を伝送する場合にそのコピープロテクトの問題点を解決する。【解決手段】Ａ／Ｄ変換器１には同じオーディオソースに関する２チャネル又はマルチチャネルのオーディオ信号Ａが選択的に入力されて、異なるサンプリング周波数と量子化ビット数でＡ／Ｄ変換されてディスクに記録される。ディスクのリードインエリアには２チャネルのコピーを管理するための第１のＣＧＭＣＡＰコードと、マルチチャネルのコピーを管理するための第２のＣＧＭＣＡＰコードが記録される。【選択図】　　　　図１９
2004055122.tif 000002
【特許請求の範囲】
【請求項１】
ディスクに記録するオーディオデータの記録方法であって、
アナログ音声信号がマルチチャネルの前方のチャネルと後方用のチャネル・ＬＦＥチャネル毎に異なるサンプリング周波数でサンプリングされ、かつ前記前方のチャネルと前記後方用のチャネル・ＬＦＥチャネル毎に異なる量子化ビット数で量子化されたデジタル音声信号として記録され、更に、前記マルチチャネルと同一又は異なるサンプリング周波数及び量子化ビット数で量子化され、ステレオ用の２チャネルのデジタル音声信号として記録されるオーディオエリアと、
前記オーディオエリアに記録されているデジタル音声信号の前記前方のチャネルと前記後方用のチャネル・ＬＦＥチャネル毎のサンプリング周波数および量子化ビット数が記録される量子化制御情報エリアと、
前記オーディオエリアに記録されているマルチチャネルとステレオ用の２チャネルのデジタル音声信号のコピーを管理するコピー管理データがそれぞれ別々に記録されるコピー管理データエリアと、
前記オーディオエリアに記録されているマルチチャネルとステレオ用の２チャネルのデジタル音声信号のＩＳＲＣを管理するＩＳＲＣ管理データが記録されるＩＳＲＣ管理データエリアと、
前記デジタル音声信号のタイトルをサーチするためのサーチ情報が記録されるタイトルサーチ情報エリアと、
前記デジタル音声信号のメニューの管理情報が記録されるオーディオ・マネージャ・メニューのエリア（ＡＭＧＭ）と
前記記録されるべきディスクを識別するディスク識別子とを、
所定のフォーマットによりフォーマット化してディスクに記録するオーディオデータの記録方法。
【請求項２】
請求項１記載のオーディオデータの記録方法により記録されたディスクのオーディオ信号をデコードして、
前記コピー管理データに基づいて前記オーディオエリアに記録されているマルチチャネルとステレオ用の２チャネルのデジタル音声信号のコピーをそれぞれ別々に管理するステップを、
有するオーディオデータのデコード方法。
【発明の詳細な説明】
【０００１】
【発明の属する技術分野】
本発明は、音楽ソースのようなオーディオデータを記録したオーディオデータの記録方法及びオーディオデータのデコード方法に関し、特にＤＶＤオーディオディスクに代表されるディスクのデータ構造に関する。
【０００２】
【従来の技術】
オーディオ用光ディスクとしては、ＣＤ（Ｃｏｍｐａｃｔ　Ｄｉｓｃ）が市場に出てから１０数年が経過し、オーディオ情報の記録媒体としては既に従来のカセットテープを凌駕してめざましく普及している。また、デジタルディスクであるＣＤの物理・論理フォーマットは、８ビット固定データ長シンボルのＥＦＭ変調記録方式や、サブコード、オーディオデータ、ＣＲＣなどのデータフォーマットとして確立しており、さらに、各種のアプリケーション機能を付加したＣＤプレーヤが開発されている。
【０００３】
ところで、ＣＤにおけるオーディオ信号は、標本化周波数が４４．１ｋＨｚ、量子化ビット数が１６ビット、左右２チャネルであり、再生周波数帯域幅が約２２ｋＨｚ、Ｓ／Ｎ比が約９６ｄＢの特性を有する。なお、電子出版の分野で利用されているＣＤ−ＲＯＭでは、オーディオデータがＡＤＰＣＭで圧縮されているので上記の特性はＣＤより劣る。
【０００４】
一方、数年来、ＣＤのチャネル数（左右２チャネル方式の音場）は不満足であるという考え方が定着しつつあり、この問題点を解決するために例えば６チャネルのようなマルチチャネルによる優れた音場特性が求められている。また、ＣＤの再現特性に関しては上記の再生周波数帯域幅とＳ／Ｎ比は、共に不満足であるという考え方が定着しつつ有り、上記の特性がより優れた次世代オーディオディスクの規格化が要望されている。例えば再生周波数帯域幅としては１００ｋＨｚ、Ｓ／Ｎ比としては１４４〜１２０ｄＢ程度の高い特性が求められている。したがって、マルチチャネルや広帯域の方式は、ＣＤ方式と比較して優れた利点を有し、また、ＣＤの特性に対する不満足さを十分に補うことができるので、今後、オーディオ機器への採用とその普及が期待される。
【０００５】
しかしながら、これまでのオーディオ伝送系、特に再生装置の増幅器（オーディオアンプ）やスピーカは２チャネル方式及び狭帯域方式を採用しているので、直ちにマルチチャネル方式や広帯域方式のオーディオ機器に切り替わることはない。
【０００６】
一方、マルチメディア時代の本格的な到来を迎えてＤＶＤの規格が定まり、既にその規格に準拠した再生システムが販売されているとともに、ＤＶＤ用のＡＶ（Ａｕｄｉｏ−Ｖｉｓｕａｌ）ソフトも供給されているので、ＤＶＤが高密度記録媒体として非常に広範に普及することは想像に難くない。そこで、オーディオ伝送系に係る狭帯域及び２チャネル方式をＤＶＤのオーディオ規格と両立性をもたせることにより、多くのチャネル数と優れた再生周波数帯域幅及びＳ／Ｎ比を有するＤＶＤ方式の普及も併せて実現することができると考えられる。特にＤＶＤ規格の中のオーディオフォーマットに対して両立性を有するようにすれば、従来の伝送系との相関性も確保することができるので都合がよい。
【０００７】
【発明が解決しようとする課題】
しかしながら、近年では、デジタルオーディオの著作権を尊重する気運が高まっており、したがって、２チャネル方式や狭帯域方式のオーディオデータとマルチチャネル方式や広帯域方式の高品質オーディオデータの両方を伝送する場合には、特に高品質オーディオデータのコピープロテクトの問題点が発生する。
【０００８】
そこで、本発明は、２チャネル方式や狭帯域方式のオーディオデータとマルチチャネル方式や広帯域方式の高品質オーディオデータの両方を伝送する場合にそのコピープロテクトの問題点を解決することができるオーディオデータの記録方法及びオーディオデータのデコード方法を提供することを目的とする。
【０００９】
【課題を解決するための手段】
本願発明は、以下の１）、２）に記載の手段よりなる。
すなわち、
１）ディスクに記録するオーディオデータの記録方法であって、
アナログ音声信号がマルチチャネルの前方のチャネルと後方用のチャネル・ＬＦＥチャネル毎に異なるサンプリング周波数でサンプリングされ、かつ前記前方のチャネルと前記後方用のチャネル・ＬＦＥチャネル毎に異なる量子化ビット数で量子化されたデジタル音声信号として記録され、更に、前記マルチチャネルと同一又は異なるサンプリング周波数及び量子化ビット数で量子化され、ステレオ用の２チャネルのデジタル音声信号として記録されるオーディオエリアと、
前記オーディオエリアに記録されているデジタル音声信号の前記前方のチャネルと前記後方用のチャネル・ＬＦＥチャネル毎のサンプリング周波数および量子化ビット数が記録される量子化制御情報エリアと、
前記オーディオエリアに記録されているマルチチャネルとステレオ用の２チャネルのデジタル音声信号のコピーを管理するコピー管理データがそれぞれ別々に記録されるコピー管理データエリアと、
前記オーディオエリアに記録されているマルチチャネルとステレオ用の２チャネルのデジタル音声信号のＩＳＲＣを管理するＩＳＲＣ管理データが記録されるＩＳＲＣ管理データエリアと、
前記デジタル音声信号のタイトルをサーチするためのサーチ情報が記録されるタイトルサーチ情報エリアと、
前記デジタル音声信号のメニューの管理情報が記録されるオーディオ・マネージャ・メニューのエリア（ＡＭＧＭ）と
前記記録されるべきディスクを識別するディスク識別子とを、
所定のフォーマットによりフォーマット化してディスクに記録するオーディオデータの記録方法。
２）請求項１記載のオーディオデータの記録方法により記録されたディスクのオーディオ信号をデコードして、
前記コピー管理データに基づいて前記オーディオエリアに記録されているマルチチャネルとステレオ用の２チャネルのデジタル音声信号のコピーをそれぞれ別々に管理するステップを、
有するオーディオデータのデコード方法。
【００１０】
【発明の実施の形態】
以下、図面を参照して本発明の実施の形態を説明する。図１はＤＶＤ−ビデオのフォーマットと、本発明に係るＤＶＤ−オーディオのフォーマットの一実施形態を示す説明図、図２は図１のオーディオマネージャ（ＡＭＧ）のフォーマットを詳しく示す説明図、図３は図１のオーディオタイトルセット（ＡＴＳ）のフォーマットを詳しく示す説明図、図４は図２のオーディオマネージャインフォメーション（ＡＭＧＩ）のフォーマットを詳しく示す説明図、図５は図４のオーディオタイトルセット・アトリビュートテーブル（ＡＴＳ−ＡＴＲＴ）のフォーマットを詳しく示す説明図、図６は図５のオーディオタイトルセット・アトリビュートデータ（ＡＴＳ−ＡＴＲ）のフォーマットを詳しく示す説明図、図７は図３のオーディオタイトルセットインフォメーション（ＡＴＳＩ）のフォーマットを詳しく示す説明図、図８は図７のオーディオタイトルセットインフォメーション・マネージメントテーブル（ＡＴＳＩ−ＭＡＴ）のフォーマットを詳しく示す説明図、図９は図８のオーディオタイトルセットメニュー・オーディオストリーム・アトリビュートデータ（ＡＴＳＭ−ＡＳＴ−ＡＴＲ）を詳しく示す説明図、図１０は図８のオーディオタイトルセット・オーディオストリーム・アトリビュートテーブル（ＡＴＳ−ＡＳＴ−ＡＴＲＴ）のフォーマットを詳しく示す説明図、図１１は図１０の各オーディオストリームのアトリビュートデータ（ＡＴＳ−ＡＳＴ−ＡＴＲ）を詳しく示す説明図である。
【００１１】
また、図１２は図１のオーディオコンテンツブロックユニット（ＡＣＢＵ）を示す説明図、図１３は図１２のオーディオパックとビデオパックのフォーマットを詳しく示す説明図、図１４は図１２のオーディオコントロール（Ａ−ＣＯＮＴ）パックのフォーマットを詳しく示す説明図、図１５は図１４のオーディオキャラクタディスプレイ（ＡＣＤ）エリアのフォーマットを詳しく示す説明図、図１６は図１５のネームスペース情報により表示される例を示す説明図、図１７は図１４のオーディオサーチデータ（ＡＳＤ）エリアのフォーマットを詳しく示す説明図、図１８は図１のオーディオコンテンツブロックユニットの変形例を示す説明図である。
【００１２】
また、図１９は本発明に係るオーディオデータのエンコード装置を示すブロック図、図２０は本発明に係るオーディオディスクに記録される２チャネルとマルチチャネルのサンプリング周波数と量子化ビット数を示す説明図、図２１は本発明に係るオーディオディスクに記録されるコピー管理データを示す説明図、図２２は図２１のＣＧＭＣＡＰＳコードを詳しく示す説明図、図２３はオーディオデータのデコード装置を示すブロック図、図２４は図２３の再生装置の再生処理を示すフローチャート、図２５は本発明に係るコピー処理を示すフローチャートである。
【００１３】
ここで、この説明のＤＶＤ−オーディオディスクには、ＣＤ世代からＤＶＤ−オーディオ世代に移行する際の過渡期に対応するように、オーディオ信号としてステレオ用２チャネルと５／６／８チャネルのマルチチャネルの両方の信号が記録される。また、この過渡期が経過したときには５／６／８チャネルのマルチチャネル信号のみが記録されるようになると考えられる。
【００１４】
図１（ａ）、（ｂ）はそれぞれＤＶＤ−ビデオ、ＤＶＤ−オーディオの各フォーマットを示し、ＤＶＤ−オーディオのフォーマットはエリアの名称が異なるがＤＶＤ−ビデオと互換性を有する。まず、大別してＤＶＤ−ビデオのフォーマットは先頭のビデオマネージャ（ＶＭＧ）と、それに続く複数のビデオタイトルセット（ＶＴＳ）の各エリアにより構成され、他方、ＤＶＤ−オーディオのフォーマットはこれに対応して図２に詳しく示すオーディオマネージャ（ＡＭＧ）と、図３に詳しく示すようにＡＭＧに続く複数のオーディオタイトルセット（ＡＴＳ）の各エリアにより構成されている。
【００１５】
ＶＴＳの各々は先頭のＶＴＳインフォメーション（ＶＴＳＩ）と、それに続く１以上のビデオコンテンツブロックセット（ＶＣＢＳ）と最後のＶＴＳＩにより構成され、他方、ＡＴＳの各々はこれに対応して先頭のＡＴＳインフォメーション（ＡＴＳＩ）と、それに続く１以上のオーディオコンテンツブロックセット（ＡＣＢＳ）と最後のＡＴＳＩにより構成されている。ＡＴＳＩには、ＡＣＢＳ内の各曲の演奏時間が実時間でセットされる。
【００１６】
ＶＣＢＳの各々は複数のＶＣＢにより構成され、他方、ＡＣＢＳの各々は複数のＡＣＢにより構成されている。ＶＣＢの各々はビデオの１タイトル（Ｔｉｔｌｅ）分であり、ＡＣＢの各々はこれに対応してオーディオの１タイトル分である。ＶＣＢの各々（１タイトル）は複数のチャプタ（Ｃｈａｐｔｅｒ）により構成され、他方、ＡＣＢの各々（１タイトル）はこれに対応して複数のトラック（Ｔｒａｃｋ）により構成されている。チャプタはパートオブタイトル（ＰＴＴ）を含み、トラックはパートオブタイトル（ＰＴＴ）を含む。
【００１７】
チャプタの各々は複数のセル（ＣＥＬＬ）により構成され、他方、トラックの各々はこれに対応して複数のインデックス（Ｉｎｄｅｘ）により構成されている。セルの各々は複数のＶＣＢユニット（ＶＣＢＵ）により構成され、他方、インデックスの各々はこれに対応して複数のＡＣＢユニット（ＡＣＢＵ）により構成されている。ＶＣＢユニットとＡＣＢユニットの各々は、複数のパックにより構成され、１パックは２０４８バイトで構成されている。
【００１８】
ＶＣＢユニットの各々は、先頭のコントロールパック（以下、ＣＯＮＴパック）と、それに続く複数のビデオ（Ｖ）パック、オーディオ（Ａ）パック及びサブピクチャ（ＳＰ）パックにより構成され、他方、ＡＣＢユニットの各々は、これに対応して先頭のオーディオコントロールパック（以下、Ａ−ＣＯＮＴパック）と、それに続く複数のＡパックとＶパックにより構成されている。
【００１９】
ＣＯＮＴパックには後続のＶパックを制御する情報が配置され、Ａ−ＣＯＮＴパックにはＣＤのＴＯＣ情報のように後続のＡパックのオーディオ信号を管理するための情報が配置される。Ａパックにはオーディオデータが配置され、Ｖパックにはビデオデータの他、オーディオデータ以外の例えばクローズドキャプション（ＣＣ）データが配置される。
【００２０】
ＡＭＧ（オーディオマネージャ）は図２に示すように、
・図４に詳しく示すオーディオマネージャインフォメーション（ＡＭＧＩ）と、
・ＡＭＧメニュー用のオーディオコンテンツブロックセット（ＡＭＧＭ−ＡＣＢＳ）と、
・バックアップ用のＡＭＧＩ
を有する。ＡＭＧＭ−ＡＣＢＳはコントロール情報として
・プレゼンテーションコントロールインフォメーション（ＰＣＩ）と、
・データサーチインフォメーション（ＤＳＩ）
を有する。
【００２１】
ＡＴＳ（オーディオタイトルセット）は図３に示すように、
・図７に詳しく示すオーディオタイトルセットインフォメーション（ＡＴＳＩ）と、
・ＡＴＳメニュー用のオーディオコンテンツブロックセット（ＡＴＳＭ−ＡＣＢＳ）と、
・ＡＴＳタイトル用のオーディオコンテンツブロックセット（ＡＴＳＡ−ＡＣＢＳ）と、
・バックアップ用のＡＴＳＩ
を有する。ＡＴＳＭ−ＡＣＢＳとＡＴＳＡ−ＡＣＢＳは共に、前述（図２）したＰＣＩとＤＳＩを有する。
【００２２】
ＡＭＧＩ（オーディオマネージャインフォメーション）は図４に詳しく示すように、
・ＡＭＧＩのマネージメントテーブル（ＡＭＧＩ−ＭＡＴ）と、
・タイトルのサーチポインタテーブル（Ｔ−ＳＲＰＴ）と、
・オーディオマネージャメニューＰＧＣＩユニットテーブル（ＡＭＧＭ−ＰＧＣＩ−ＵＴ）と、
・ペアレンタルマネージメントインフォメーションテーブル（ＰＴＬ−ＭＡＩＴ）と、
・図５に詳しくオーディオタイトルセット・アトリビュートテーブル（ＡＴＳ−ＡＴＲＴ）と、
・テキストデータマネージャ（ＴＸＴＤＴ−ＭＧ）と、
・オーディオマネージャメニューセル（インデックス）アドレステーブル（ＡＭＧＭ−Ｃ−ＡＤＴ）と、
・オーディオマネージャメニュー・オーディオコンテンツブロックユニット・アドレスレスマップ（ＡＭＧＭ−ＡＣＢＵ−ＡＤＭＡＰ）
を有する。
【００２３】
ＡＴＳ−ＡＴＲＴ（オーディオタイトルセット・アトリビュートテーブル）は図５に詳しく示すように、
・オーディオタイトルセットアトリビュートテーブルインフォメーション（ＡＴＳ−ＡＴＲＴＩ）と、
・複数（ｎ）個のＡＴＳの各々のオーディオタイトルセットアトリビュートサーチポインタ（ＡＴＳ−ＡＴＲ−ＳＲＰ＃１〜＃ｎ）と、
・図６に詳しく示すような複数（ｎ）個のＡＴＳの各々のオーディオタイトルセット・アトリビュートデータ（ＡＴＳ−ＡＴＲ−＃１〜＃ｎ）
を有する。
【００２４】
オーディオタイトルセット・アトリビュートデータ（ＡＴＳ−ＡＴＲ−＃１〜＃ｎ）の各々は、図６に詳しく示すように
・ＡＴＳ−ＡＴＲ−ＥＡ（エンドアドレス）と、
・ＡＴＳ−ＣＡＴ（カテゴリー）と、
・ＡＴＳ−ＡＴＲＩ（インフォメーション）
を有する。
【００２５】
図３に示すＡＴＳＩ（ＡＴＳインフォメーション）は図７に詳しく示すように、
・図８に詳しく示すオーディオタイトルセットインフォメーション・マネージメントテーブル（ＡＴＳＩ−ＭＡＴ）と、
・オーディオタイトルセット・パートオブタイトル・サーチポインタテーブル（ＡＴＳ−ＰＴＴ−ＳＲＰＴ）と、
・オーディオタイトルセット・プログラムチェーンインフォメーションテーブル（ＡＴＳ−ＰＧＣＩＴ）と、
・オーディオタイトルセットメニュー・ＰＧＣＩ・ユニットテーブル（ＡＴＳＭ−ＰＧＣＩ−ＵＴ）と、
・オーディオタイトルセット・タイムマップテーブル（ＡＴＳ−ＴＭＡＰＴ）と、
・オーディオタイトルセットメニュー・セル・アドレステーブル（ＡＴＳＭ−Ｃ−ＡＤＴ）と、
・オーディオタイトルセットメニュー・オーディオコンテンツブロックユニット・アドレスマップ（ＡＴＳＭ−ＡＣＢＵ−ＡＤＭＡＰ）と、
・オーディオタイトルセット・セル・アドレステーブル（ＡＴＳ−Ｃ−ＡＤＴ）と、
・オーディオタイトルセット・オーディオコンテンツブロックユニット・アドレスマップ（ＡＴＳ−ＡＣＢＵ−ＡＤＭＡＰ）
を有する。
【００２６】
図７に示すＡＴＳＩ−ＭＡＴ（オーディオタイトルセットインフォメーション・マネージメントテーブル）は図８に詳しく示すように、
・ＡＴＳ−ＩＤ（識別子）と、
・ＡＴＳ−ＥＡ（エンドアドレス）と、
・ＡＴＳＩ−ＥＡと、
・ＶＥＲＮ（ＤＶＤオーディオスペックのバージョン番号）と、
・ＡＴＳ−ＣＡＴ（カテゴリー）と、
・ＡＴＳＩ−ＭＡＴ−ＥＡと、
・ＡＴＳＭ−ＡＣＢＳ−ＳＡ（スタートアドレス）と、
・ＡＴＳＡ−ＡＣＢＳ−ＳＡと、
・ＡＴＳ−ＰＴＴ−ＳＲＰＴ−ＳＡと、
・ＡＴＳ−ＰＧＣＩＴ−ＳＡと、
・ＡＴＳＭ−ＰＧＣＩ−ＵＴ−ＳＡと、
・ＡＴＳ−ＴＭＡＰ−ＳＡと、
・ＡＴＳＭ−Ｃ−ＡＤＴ−ＳＡと、
・ＡＴＳＭ−ＡＣＢＵ−ＡＤＭＡＰ−ＳＡと、
・図９に詳しく示すようなＡＴＳＭ−ＡＳＴ−ＡＴＲ（ＡＴＳＭのオーディオストリーム・アトリビュート）と、
・ＡＴＳ−ＡＳＴ−Ｎｓ（ＡＴＳのオーディオストリームの数）と、
・図１０に詳しく示すようなＡＴＳ−ＡＳＴ−ＡＴＲＴ（ＡＴＳのオーディオストリーム・アトリビュートテーブル）
を有する。
【００２７】
ＡＴＳＭ−ＡＳＴ−ＡＴＲは図９に詳しく示すように８バイト（ビットｂ６３〜ｂ０）により構成され、このディスクに記録されている符号化オーディオ信号の属性として次のようなデータ（１）〜（４）が配置される（他のビットは保留）。
（１）オーディオ符号化モード（３ビットｂ６３〜ｂ６１）
０００ｂ：ドルビーＡＣ−３
０１０ｂ：ＭＰＥＧ−１又はＭＰＥＧ−２（拡張ビットストリーム無し）
０１１ｂ：ＭＰＥＧ−２（拡張ビットストリーム有り）
１００ｂ：リニヤＰＣＭオーディオ
１０１ｂ：リニヤＰＣＭオーディオ（２ｃｈ＋５ｃｈ、２ｃｈ＋６ｃｈ、２ｃｈ＋８ｃｈを含む。）
【００２８】
（２）量子化／ＤＲＣ（ダイナミックレンジコントロール）情報（２ビットｂ５５、ｂ５４）
・オーディオ符号化モードが「０００ｂ」の場合には「１１ｂ」
・オーディオ符号化モードが「０１０ｂ」又は「０１１ｂ」の場合、
００ｂ：ＭＰＥＧオーディオストリーム内にダイナミックレンジコントロールデータが存在しない
０１ｂ：ＭＰＥＧオーディオストリーム内にダイナミックレンジコントロールデータが存在する
１０ｂ，１１ｂ：保留
・オーディオ符号化モードが「１００ｂ」、「１０１ｂ」の場合、ステレオ２ｃｈに対して
００ｂ：１６ビット
０１ｂ：２０ビット
１０ｂ：２４ビット
１１ｂ：保留
【００２９】
（３）サンプリング周波数ｆｓ（２ビットｂ５３、ｂ５２）
ステレオ２ｃｈに対して
００ｂ：４８ｋＨｚ
０１ｂ：９６ｋＨｚ
１０ｂ：１９２ｋＨｚ
（４）オーディオチャネル数（３ビットｂ５０〜ｂ４８）
０００ｂ：１ｃｈ（モノラル）
００１ｂ：２ｃｈ（ステレオ）
０１０ｂ：３ｃｈ
０１１ｂ：４ｃｈ
１００ｂ：（ステレオ２ｃｈ＋５ｃｈ）
１０１ｂ：（ステレオ２ｃｈ＋６ｃｈ）
１１０ｂ：７ｃｈ
１１１ｂ：（ステレオ２ｃｈ＋８ｃｈ）
【００３０】
図１０に示すＡＴＳ−ＡＳＴ−ＡＴＲＴ（ＡＴＳのオーディオストリーム・アトリビュートテーブル）は図１１に詳しく示すように、オーディオストリーム＃０〜＃７毎のＡＴＳ−ＡＳＴ−ＡＴＲを有し、ＡＴＳ−ＡＳＴ−ＡＴＲの各々は８バイトで構成されている（合計６４バイト）。
【００３１】
１つのオーディオストリームのＡＴＳ−ＡＳＴ−ＡＴＲは図１１に示すように、図９に示すオーディオタイトルセットメニュー・オーディオストリーム・アトリビュートデータ（ＡＴＳＭ−ＡＳＴ−ＡＴＲ）と同様な８バイト（ビットｂ６３〜ｂ０）で構成され、上記属性データ（１）〜（４）の他に、
（５）マルチチャネル・イクステンション（ＭＥ）（１ビットｂ６０）と、
（６）オーディオタイプ（２ビットｂ５９、ｂ５８）と、
（７）オーディオアプリケーションモード（２ビットｂ５７、ｂ５６）と、
（８）そのストリーム（ＡＳＴ）の間引き情報（２ビットｂ４７、ｂ４６）と、
（９）ＬＦＥ（Ｌｏｗ　Ｆｒｅｑｕｅｎｃｙ　Ｅｆｆｅｃｔ）１ｃｈのみの間引き情報（２ビットｂ４５、ｂ４４）
の各データを有する。そして、このＤＶＤオーディオディスクの（７）オーディオアプリケーションモードには、
１１ｂ：２ｃｈ＋サラウンドモード
が記録され、また、（８）そのストリームの間引き情報と、（９）ＬＦＥ１ｃｈのみの間引き情報には共に、帯域情報として
００ｂ：フル（１／１）
０１ｂ：ハーフ（１／２）
１０ｂ：クオータ（１／４）
が記録される。
【００３２】
ただし、このＡＴＳＭ−ＡＳＴ−ＡＴＲにおける（４）オーディオチャネル数は、オーディオストリーム＃０では必ず２ｃｈとなり、また、オーディオストリーム＃１はフロントの３ｃｈを含む。すなわち、例えば１つのタイトルのオーディオ信号を２＋６ｃｈで記録する場合、２ｃｈのステレオ信号をオーディオストリーム＃０に割り当て、６ｃｈの内、３ｃｈのフロント信号をオーディオストリーム＃１に割り当て、２ｃｈのリヤ信号とＬＦＥ１ｃｈ信号をオーディオストリーム＃２に割り当てる。そして、図４に示すオーディオマネージャインフォメーション・マネージメントテーブル（ＡＭＧＩ−ＭＡＴ）と図８に示すオーディオタイトルセットインフォメーション・マネージメントテーブル（ＡＴＳＩ−ＭＡＴ）には共に、ストリーム＃０〜＃２の利用データとして「３」が記録される。
【００３３】
また、この２＋６ｃｈのアナログオーディオ信号を例えば次のようなサンプリング周波数ｆｓでサンプリングし、次のような量子化ビット数で量子化して記録する場合、
ステレオ２ｃｈ　　　　：４８ｋＨｚ、２０ビット
フロント３ｃｈ　　　　：９６ｋＨｚ、１６ビット
リヤ２ｃｈ、ＬＦＥ１ｃｈ：４８ｋＨｚ、１６ビット（間引きなし）
図９に示すオーディオタイトルセットメニュー・オーディオストリーム・アトリビュートデータ（ＡＴＳＭ−ＡＳＴ−ＡＴＲ）にはステレオ２ｃｈの属性として
（１）オーディオ符号化モード
１０１ｂ：リニヤＰＣＭオーディオ（２ｃｈ＋５ｃｈ、２ｃｈ＋６ｃｈ、２ｃｈ＋８ｃｈを含む。）
（２）量子化／ＤＲＣ
０１ｂ：２０ビット
（３）サンプリング周波数ｆｓ
００ｂ：４８ｋＨｚ
（４）オーディオチャネル数
１０１ｂ：（ステレオ２ｃｈ＋６ｃｈ）
が記録される。
【００３４】
また、オーディオストリーム＃０のＡＴＳ−ＡＳＴ−ＡＴＲには
（１）オーディオ符号化モード
１０１ｂ：リニヤＰＣＭオーディオ（２ｃｈ＋５ｃｈ、２ｃｈ＋６ｃｈ、２ｃｈ＋８ｃｈを含む。）
（２）量子化／ＤＲＣ
０１ｂ：２０ビット
（３）サンプリング周波数ｆｓ
００ｂ：４８ｋＨｚ
（４）オーディオチャネル数
００１ｂ：２ｃｈ（ステレオ）
（７）オーディオアプリケーションモード
１１ｂ：２ｃｈ＋サラウンドモード
（８）そのストリームの間引き情報
００ｂ：フル（１／１）
（９）ＬＦＥ１ｃｈのみ間引き情報
００ｂ：フル（１／１）
が記録される。
【００３５】
また、オーディオストリーム＃１のＡＴＳ−ＡＳＴ−ＡＴＲには
（１）オーディオ符号化モード
１０１ｂ：リニヤＰＣＭオーディオ（２ｃｈ＋５ｃｈ、２ｃｈ＋６ｃｈ、２ｃｈ＋８ｃｈを含む。）
（２）量子化／ＤＲＣ
００ｂ：１６ビット
（３）サンプリング周波数ｆｓ
０１ｂ：９６ｋＨｚ
（４）オーディオチャネル数
０１０ｂ：３ｃｈ
（７）オーディオアプリケーションモード
１１ｂ：２ｃｈ＋サラウンドモード
（８）そのストリームの間引き情報
００ｂ：フル（１／１）
（９）ＬＦＥ１ｃｈのみ間引き情報
００ｂ：フル（１／１）
が記録される。
【００３６】
また、オーディオストリーム＃２のＡＴＳ−ＡＳＴ−ＡＴＲには
（１）オーディオ符号化モード
１０１ｂ：リニヤＰＣＭオーディオ（２ｃｈ＋５ｃｈ、２ｃｈ＋６ｃｈ、２ｃｈ＋８ｃｈを含む。）
（２）量子化／ＤＲＣ
００ｂ：１６ビット
（３）サンプリング周波数ｆｓ
００ｂ：４８ｋＨｚ
（４）オーディオチャネル数
０１０ｂ：３ｃｈ
（７）オーディオアプリケーションモード
１１ｂ：２ｃｈ＋サラウンドモード
（８）そのストリームの間引き情報
００ｂ：フル（１／１）
（９）ＬＦＥ１ｃｈのみ間引き情報
００ｂ：フル（１／１）
が記録される。
【００３７】
次に、オーディオストリームが記録されるＡパックとその制御パックについて説明する。図１２に示すようにＶＣＢユニットは０．４〜１．０秒分の任意の数のパックにより構成され、ＡＣＢユニットは０．５〜１．０秒分の任意の数のパックにより構成されている。また、ＤＶＤ−オーディオのＡＣＢユニットにおけるＡ−ＣＯＮＴパックは、ＤＶＤ−ビデオのＶＣＢユニットにおける第３パックに配置される。
【００３８】
Ａ−ＣＯＮＴパックは基本的にオーディオ時間の０．５秒単位に配置され、インデックスの切れ目では０．５〜１．０秒の範囲で完結するように配置される。また、オーディオの時間（ＧＯＦ：Ｇｒｏｕｐ　ｏｆ　Ａｕｄｉｏ　Ｆｒａｍｅ）はＡ−ＣＯＮＴパックにより示され、そのデータ位置はオーディオフレームナンバと、ファーストアクセスユニットポインタとフレームヘッダの数により決まる。また、Ａ−ＣＯＮＴパック直前のＡパックは、オーディオ時間の０．５秒単位でパディングすることを強制しない。
【００３９】
隣接するＡパックは、オーディオ信号がお互いに関連するように配置され、例えばステレオの場合にはＬチャネルパックとＲチャネルパックが隣接して配置され、また、５／６／８チャネルのマルチチャネルの場合にも同様に隣接して配置される。Ｖパックはオーディオ信号の再生時に映像を表示する場合にそのＡパックに隣接して配置される。ＡパックとＶパックは、図１３に示すように２０３４バイトのユーザデータ（Ａデータ、Ｖデータ）に対して４バイトのパックスタート情報と、６バイトのＳＣＲ（Ｓｙｓｔｅｍ　Ｃｌｏｃｋ　Ｒｅｆｅｒｅｎｃｅ：システム時刻基準参照値）情報と、３バイトのＭｕｘ　レート（ｒａｔｅ）情報（ストリームの多重化速度情報）と１バイトのスタッフィングの合計１４バイトのパックヘッダが付加されて構成されている（１パック＝合計２０４８バイト）。この場合、タイムスタンプであるＳＣＲ情報を、ＡＣＢユニット内の先頭パックでは「１」として同一タイトル内で連続とすることにより同一タイトル内のＡパックの時間を管理することができる。
【００４０】
これに対し、Ａ−ＣＯＮＴパックは図１４に示すように、１４バイトのパックヘッダと、２４バイトのシステムヘッダと、１００３バイトのＡＣＤ（オーディオキャラクタディスプレイ）パケットと、１００７バイトのＡＳＤ（オーディオサーチデータ）パケットにより構成されている。また、ＡＣＤパケットは６バイトのパケットヘッダと、１バイトのサブストリームＩＤと、図１５に詳しく示すような６３６バイトのＡＣＤ（オーディオキャラクタディスプレイ）情報と、３６０バイトの保留エリアにより構成されている。ＡＳＤパケットは同じく６バイトのパケットヘッダ及び１バイトのサブストリームＩＤと、図１７に詳しく示すような１０００バイトのＡＳＤ（オーディオサーチデータ）により構成されている。
【００４１】
６３６バイトのＡＣＤ情報エリアは、図１５に詳しく示すように４８バイトのジェネラル情報エリアと、第１の言語の文字「１」及び第２の言語の文字「２」毎に２９４バイトのエリアを有し、この各エリアは９３バイトのネームスペースエリア、各々９３バイトの２つのフリースペースエリアと１５バイトのデータポインタエリアにより構成されている。第１の言語の文字「１」と第２の言語の文字「２」の一方のネームスペースエリアには、例えば図１６に示すように楽曲名を日本語で表示するためのデータが配置され、他方のネームスペースエリアには英語で表示するためのデータが配置される。なお、この表示言語はディスク発行元が決定してよい。
【００４２】
４８バイトのジェネラル情報は、例えば１６バイトのサービスレベル情報と、１２バイトの言語コード情報と、６バイトの文字セットコード情報と、６バイトの表示アイテム情報と、２バイトの「前のＡＣＤ情報との相違」情報と、６バイトの保留情報により構成される。１６バイトのサービスレベル情報は、表示サイズ、表示の種類、オーディオ／ビデオ／ＳＰの区別、ストリームなどを示し、また、文字はマンダトリー（必須）、ビットマップはオプション（随意）である。１２バイトの言語コード情報はビデオファイルと同様に文字「１」「２」の言語をそれぞれ２バイトで示し、１ファイル中最大８言語分を示す。英語はマンダトリーである。
【００４３】
６バイトの文字セットコード情報は、言語コードに対応した文字コードを最大１５個持つことが可能であり、文字「１」「２」の言語の有無と種類を１バイトで示す。コード例を以下に示す。
１．ＩＳＯ６４６
２．ＩＳＯ８８５９−１
３．ＭＳ−ＪＩＳ
６バイトの表示アイテム情報は、図１５に示すフリースペース「１」「２」、データポインタの有無、ＩＤを示す。ネームスペースはマンダトリーであり、タイトルネーム、ミュージックネーム、アーティストネームは必ず記述する。
【００４４】
１０００バイトのＡＳＤ（オーディオサーチデータ）は、図１７に詳しく示すように１６バイトのジェネラル情報と、８バイトの現在の番号（Ｎｏ．）情報と、１６バイトの現在時刻情報と、８バイトのタイトルセットサーチ情報と、８バイトのタイトルサーチ情報と、４０４バイトのトラックサーチ情報と、４０８バイトのインデックスサーチ情報と、８０バイトのハイライトサーチ情報と、５２バイトの保留エリアにより構成されている。
【００４５】
８バイトの現在の番号情報は、タイトルセットの現在のタイトル番号（２バイト：ＢＣＤ）と、タイトルセットの現在のトラック番号（２バイト：ＢＣＤ）と、トラックの現在のインデックス番号（２バイト：ＢＣＤ）と保留領域（２バイト）により構成されている。１６バイトの現在時刻情報は、トラックのプレイバック時間（４バイト：ＢＣＤ）と、トラックの残りのプレイバック時間（４バイト：ＢＣＤ）と、タイトルの絶対時間（４バイト：ＢＣＤ）とタイトルの残りの絶対時間（４バイト：ＢＣＤ）により構成されている。
【００４６】
８バイトのタイトルセットサーチ情報は、タイトルセットの最初のセクタ番号（４バイト）と、タイトルセットの最後のセクタ番号（４バイト）により構成されている。８バイトのタイトルサーチ情報は、タイトルの最初のセクタ番号（４バイト）と、タイトルの最後のセクタ番号（４バイト）により構成されている。４０４バイトのトラックサーチ情報は、タイトルのトラック及びセクタ番号（４バイト×９９）と、タイトルの最初のトラック番号（４バイト）とタイトルの最後のトラック番号（４バイト）により構成されている。
【００４７】
４０８バイトのインデックスサーチ情報は、トラックのインデックス及びセクタ番号（４バイト×１００）と、トラックの最初のインデックス番号（４バイト）とトラックの最後のインデックス番号（４バイト）により構成されている。８０バイトのハイライトサーチ情報は、トラックのインセクタ番号（４バイト×１０）とトラックのアウトセクタ番号（４バイト×１０）により構成されている。
【００４８】
このようなフォーマットによれば、複数のＡパックの先頭に、ＣＤのＴＯＣ情報のように後続のＡパックのオーディオ信号を管理するためのＡ−ＣＯＮＴパックが配置されるので、オーディオデータはビデオデータなどとは一体化されず、記録容量を多くすることができる。また、Ａ−ＣＯＮＴパックによりオーディオ時間を管理することができ、また、Ａ−ＣＯＮＴパックによりオーディオデータに関する曲名などの簡単な文字情報を取り出すことができる。
【００４９】
また、Ａ−ＣＯＮＴパック内にタイトル、スタートアドレス、演奏時間などのＴＯＣ情報を配置するので、オーディオ再生中であってもユーザの操作に応じた情報をＡ−ＣＯＮＴパックから取り出して再生を開始することができる。また、オーディオマネージャインフォメーション（ＡＭＧＩ）とオーディオタイトルセットインフォメーション（ＡＴＳＩ）内にＴＯＣ情報を配置することにより、必要なＴＯＣ情報を再生装置内のメモリに記憶させて、ユーザの操作に応じた情報をメモリから即座に読み出して再生を開始することができる。また、ＤＶＤ−ビデオにおけるプログラムチェーンインフォメーション（ＰＧＣＩ）のような大きな容量の情報を記憶する必要がないので、ディスクを効率的に管理することができる。
【００５０】
さらに、
１．コンテンツ内に画像（Ｖ）データがない場合、
（１）タイトル、曲、インデックスの３階層に対するサーチ、ランダムアクセスが可能になる。
（２）ＧＯＦ（オーディオフレーム）単位の頭出し、タイムサーチ、ランダムアクセスが可能になる。
（３）タイトル、曲、インデックスの時間を実時間で管理することができる。
【００５１】
また、
２．コンテンツ内に画像（Ｖ）データがある場合、
オーディオデータに関しては、
上記（１）〜（３）の他に、
（４）タイトル、曲中の現在時間、残り時間を実時間で表示、管理することができる。
【００５２】
ビデオデータに関しては、
（１）タイトル、ＰＴＴ、セルの３階層に対するサーチ、ランダムアクセスが可能になる。
（２）ビデオフレーム単位の頭出し、タイムサーチ、ランダムアクセスが可能になる。
（３）タイトル、ＰＴＴ、セルの時間を実時間で管理することができる。
（４）ＰＴＴ又はタイトル中の現在時間、残り時間をビデオフレーム単位時間で表示、管理することができる。
【００５３】
なお、図１（ｂ）のＡＣＢＵは、Ａ−ＣＯＮＴパックとＣＯＮＴパックを含んでいるが、図１８に示すようにＶパックとＣＯＮＴパックは含まないように構成してもよい。この場合にはビデオ信号は記録されないが、オーディオ信号の記録容量が割り増しになる特徴があり、ディスクサイズを小型化することができ、また、再生機能を簡略化することができるのでポータブル用の再生装置に適するものを提供することができる。
【００５４】
図１９は本発明に係るオーディオデータのエンコード装置を示している。まず、Ａ／Ｄ変換器１には同じオーディオソースに関する２チャネル又はマルチチャネルのオーディオ信号Ａが選択的に入力して例えば図２０に示すようなサンプリング周波数と量子化ビット（ｂｉｔ）数でＡ／Ｄ変換される。図２０は
（１）２チャネルのみ、
（２）２＋６チャネル、
（３）６チャネルのみ
の場合の伝送レートとＤＶＤに対する収容時間を示している。当然に、サンプリング周波数と量子化ビット数を小さくすると収容時間は多くなり、逆にサンプリング周波数と量子化ビット数を大きくすると収容時間は少なくなるが、市場に対するオーディオディスクとしては収容時間は８０分以上が望ましく、また、あまり長時間記録することは望ましくないので、２＋６チャネルをｆｓ＝４８ｋＨｚ、量子化ビット数＝２０又は２４ビットで記録することが望ましい。
【００５５】
図１９に戻り、この２チャネルとマルチチャネルのデジタルオーディオ信号Ａが信号処理回路２及びメモリ３を経由してＤＶＤフォーマット化部６に送られて図１３に示すようなオーディオパック内に収容される。また、このオーディオソースに関するメニュー画面や静止画のビデオ（Ｖ）データがＡ／Ｄ変換器４によりＡ／Ｄ変換され、このデータがＶエンコーダ５を介してＤＶＤフォーマット化部６に送られて図１３に示すようなビデオパック内に収容される。ＤＶＤフォーマット化部６はまた、図１〜図１８に示すようなＤＶＤフォーマットを生成する。続くコンテンツ暗号部７はこのＤＶＤフォーマットを所定のＣＳＳ（コンテンツ・スクランブル・システム）でスクランブルし、続く変調回路８はコンテンツ暗号部７の出力信号をＥＦＭｐｌｕｓ変調する。
【００５６】
変調回路８により変調されたデータは図示省略のＤＶＤカッティングマシン（プレーヤ）に供給されてＤＶＤオーディオディスクの原盤（マスタ）が製造される。次いでこの原盤の上に金属薄膜がスパッタ法とメッキ法により形成され、更に厚くメッキして原盤から剥離されてスタンパが製造される。次いでこのスタンパによりディスクの基になる基材が射出成形により形成されて貼り合わされ、ＤＶＤオーディオディスクが製造される。
【００５７】
また、ディスクのリードイン部には１６バイト（１２８ビット）ないし１８８バイト（１５０４ビット）の可変長の著作権管理情報（ＣＭＩ）エリアが設けられる。そして、このＣＭＩエリアには図２１に示すように、例えば６４ビットのディスク製造年月日データと、５２ビットの工場コードと、８ビットのスクランブル用同期信号と、６０ビットのＩＳＲＣコード（Ｉｎｔｅｒｎａｔｉｏｎａｌ　Ｓｔａｎｄａｒｄ　Ｒｅｃｏｒｄｉｎｇ　Ｃｏｄｅ）と、８バイトのＳＩＤ（ソースＩＤ）コードと、コピー管理データを示す４ビットの第１のＣＧＭＣＡＰＳ（Ｃｏｐｙ　Ｇｅｎｅｒａｔｉｏｎ　Ｍａｎａｇｅｍｅｎｔ　Ｃｏｎｔｒｏｌ　Ａｕｄｉｏ　Ｐｒｏｔｅｃｔｉｏｎ　Ｓｙｓｔｅｍ）又はＳＣＭＳ（Ｓｅｒｉａｌ　Ｃｏｐｙ　Ｍａｎａｇｅｍｅｎｔ　Ｓｙｓｔｅｍ）コード（以下、単にＣＧＭＣＡＰＳともいう）と同じく４ビットの第２のＣＧＭＣＡＰＳコードが記録される。このデータは数回例えば８回繰り返して記録され、また、ＩＳＲＣコードとＳＩＤコードがスクランブルされて記録される。
【００５８】
第１、第２のＣＧＭＣＡＰＳコードは、リードイン部のコントロールデータ領域をあらかじめＲＡＭ領域として製造しておいて記録される。そして、第１のＣＧＭＣＡＰＳコードは、２チャネル方式のデータ素材のコピーガード管理コードであり、また、その下位４ビットには同じデータが記録される。また、第２のＣＧＭＣＡＰＳコードは、マルチチャネル方式のデータ素材（コンテンツ）のコピーガード管理コードであり、また、その下位４ビットには同じデータが記録される。
【００５９】
そして、図２２に示すように、この４ビットのデータの内、２ビット又は３ビットが実際のコピー管理情報として使用され、残りの１ビット又は２ビットはブランクとして使用される。このデータは再生専用機（及び再生を行う録音再生機）に対しては再生許可／禁止情報として使用され、コピーを行う録音再生機に対してはコピー許可／禁止情報として使用される。なお、図２２に示す情報の内容は、図２４、図２５に示すフローチャートを参照する際に詳細に説明する。
【００６０】
また、ディスク中に複数の曲が別々にコピー管理用のために管理されている場合には、それぞれに対してＣＧＭＣＡＰＳコードが設けられる。例えば、ＡＭＧやＡＴＳＩなどの曲の管理領域にフラグ情報として繰り返さずに記録される。またさらに、曲を構成するトラックのそれぞれに対してＣＧＭＣＡＰＳコードが設けられる。すなわち、図４９に示すように、図１３のユーザデータ（２０３４バイト）がパケットヘッダ、サブストリームＩＤ、オーディオフレーム情報、オーディオデータ情報（ＡＤＩ）及びオーディオデータにより構成され、このトラックに対するサンプリング周波数などの記録条件を記録する管理領域（ＡＤＩ）にフラグ情報として記録される。またさらに、ＴＯＣ情報の中にＣＧＭＣＡＰＳコードが設けられる。なお、第１、第２のＣＧＭＣＡＰＳコードの各々は各１バイトエリアに繰り返して記録する代わりに、４ビット（実データは２又は３ビット）で構成して１バイトエリアに記録してもよい。また、ディスク内周のＣＭＩエリアに設ける代わりに、ＣＧＭＣＡＰＳコードなどが記憶されたメモリとＣＰＵを有するＩＣをディスクに埋め込み、再生専用機や録音再生機がこのＩＣに対して読み込み制御信号を送信してＣＧＭＣＡＰＳコードなどを読み込むようにしてもよい。
【００６１】
次に図２３を参照して本発明に係るオーディオデータのデコード装置について説明する。上記ＤＶＤオーディオディスクから再生されたストリーム信号は、復調回路１１によりＥＦＭｐｌｕｓ復調され、次いでスクランブル復号部１２によりデ・スクランブルされ、次いでＤＶＤデ・フォーマット化部１３によりリードインエリアデータ、Ａ−ＣＯＮＴパック、Ａパック、Ｖパックなどに分離される。Ａパックは信号処理回路１４及びメモリ１５に送られて２チャネル又はマルチチャネルのオーディオデータに復元され、この各チャネルのオーディオデータはＤ／Ａ変換器１６によりアナログ信号に変換されて出力される。また、ＶパックはＶデコーダ１７に送られてメニュー画面や静止画のＶ信号に変換されて出力される。さらに、リードインエリアデータとＡ−ＣＯＮＴパックは制御部１８に送られ、制御部１８は特にリードインエリアデータに基づいて図２４、図２５に示すような処理を実行する。
【００６２】
図２４は再生のみを行う場合の処理を示している。図２４において、まず、リードインエリアの情報を読み込み（ステップＳ３０）、次いでそのディスクがＲＯＭディスクか又はＲＡＭディスクかを判断する（ステップＳ３１、Ｓ３２）。そして、ＲＯＭディスクの場合には、ＣＧＭＣＡＰＳコードを判断して
・（１，１）のときには再生を禁止し（ステップＳ３３、Ｓ３４）、
・（１，０）のときには再生を禁止し（ステップＳ３５、Ｓ３６）、
・（１，０，１）のときには再生を禁止し（ステップＳ３７、Ｓ３８）、
・（０，０）のときには再生を許可し（ステップＳ３９、Ｓ４０）、
・ＣＧＭＣＡＰＳコードを検出しないときには再生を許可する（ステップＳ４１、Ｓ４２）。
【００６３】
また、ＲＡＭディスクの場合には、同じくＣＧＭＣＡＰＳコードを判断して
・（１，１）のときには再生を禁止し（ステップＳ４３、Ｓ４４）、
・（１，０）のときには再生を禁止し（ステップＳ４５、Ｓ４６）、
・（１，０，１）のときには再生を許可し（ステップＳ４７、Ｓ４８）、
・（０，０）のときには再生を許可し（ステップＳ４９、Ｓ５０）、
・ＣＧＭＣＡＰＳコードを検出しないときには再生を許可する（ステップＳ５１、Ｓ５２）。
【００６４】
次に、図２２、図２５を参照してコピー時の処理について説明する。まず、リードインエリアのＲＯＭ／ＲＡＭタイプ情報とＣＧＭＣＡＰＳコード情報を読み込み（ステップＳ６０）、次いでＣＧＭＣＡＰＳコードを判断して
・（１，１）のときにはコピーを禁止し（ステップＳ６１、Ｓ６２）、
・（１，０）のときにはコピー元ディスクのＣＧＭＣＡＰＳコードを（１，０，１）に書き換えてコピーを許可し（ステップＳ６３、Ｓ６４）、
・（１，０，１）のときにはコピーを禁止し（ステップＳ６５、Ｓ６６）、
・（０，０）のときにはコピーを許可し（ステップＳ６７、Ｓ６８）、
・ＣＧＭＣＡＰＳコードを検出しないときにはコピーを許可する（ステップＳ６９、Ｓ７０）。したがって、ＣＧＭＣＡＰＳコードが（１，０）から（１，０，１）に書き換えられたディスクは図２２、図２４に示すように再生を禁止される。なお、ＣＧＭＣＡＰＳコードが（１，１）のディスクは、市販のプレーヤが再生することができず、特定のプレーヤのみが再生することができる特定用途向けである。
【００６５】
ここで、上記実施形態では、同じオーディオソースに関する２チャネルとマルチチャネルのオーディオ信号をディスクに記録するようにしたので、２チャネル方式のアンプとスピーカを有するユーザは２チャネルを再生することができ、また、マルチチャネル方式のそれを有するユーザはマルチチャネルを再生することができる。しかしながら、将来、マルチチャネル方式が２チャネルより普及することを考慮すると、このときにはマルチチャネル方式のデータを２チャネルより多くディスクに記録する方が望まれると思われる。
【００６６】
図２６はこのような市場に対応するために、１枚のディスクに対して例えば複数の曲を記録する場合に、ある曲については２＋６チャネルで記録し、他の曲については６チャネルのみで記録する方法を示している。したがって、このような記録方法によれば、マルチチャネル方式のアンプとスピーカを有するユーザが２チャネル方式のそれを有するユーザより多くなれば便利となる。また、６チャネルのみで記録する曲のサンプリング周波数と量子化ビット数については、２＋６チャネルで記録する曲の６チャネル分のそれと異なるように、例えばより高品質で記録するようにしてもよい。
【００６７】
図２７はコピー管理データの変形例を示している。ディスクのエリアは、概略的に内周から外周に向かってＰＣＡ（ポスト・カッティング・エリア）部、リードイン部、データ部、リードアウト部により構成され、また、１セクタは２０４８バイトで構成されている。リードイン部のコントロールエリアは１６セクタ「１」〜「１６」で構成され、セクタ「１」には物理フォーマット情報が記録され、セクタ「２」にはディスク製造情報が記録され、セクタ「３」及び「４」には図２８に詳しく示すような著作権情報が記録される。
【００６８】
セクタ「３」及び「４」の１バイト目と２バイト目にはそれぞれ４ビットの第１、第２のＣＧＭＣＡＰＳコードが記録される。そして、第１のＣＧＭＣＡＰＳコードは２チャネル方式のデータ素材のコピーガード管理コードであり、第２のＣＧＭＣＡＰＳコードは、マルチチャネル方式のデータ素材（コンテンツ）のコピーガード管理コードである。３バイト目から１９バイト目は楽曲（プログラムソース）を示すＩＳＲＣ（国際標準レコーディングコード：Ｉｎｔｅｒｎａｔｉｏｎａｌ　Ｓｔａｎｄａｒｄ　Ｒｅｃｏｒｄｉｎｇ　Ｃｏｄｅ　）コード及びディスク製作者を示すＳＩＤ（ソースＩＤ）コードの領域である。３バイト目には８ビットのＩＳＲＣコード及びＳＩＤコードのスクランブル用同期信号が記録され、４バイト目から１１バイト目には６０ビットのＩＳＲＣコードがスクランブルされて記録され、１２〜１９バイト目以降には８文字分のＳＩＤコードがスクランブルされて記録される。
【００６９】
以下同様に、１６バイト分に１タイトル分のＩＳＲＣコード及びＳＩＤコードが記録され、合計９９タイトル分が記録される。なお、ＩＳＲＣコード及びＳＩＤコードの両方をスクランブルする代わりにＳＩＤコードのみをスクランブルするようにしてもよい。なお、図２８においてＳＩＤコードの一例として示す「ＩＦＰＩ・Ｌ２３１〜７」は、「ＩＦＰＩ」が国際レコード・ビデオ製作者連盟（Ｉｎｔｅｒｎａｔｉｏｎａｌ　Ｆｅｄｅｒａｔｉｏｎ　ｏｆ　Ｐｈｏｎｏｇｒａｍ　Ｉｎｄｕｓｔｒｉｅｓ、現名はＩｎｔｅｒｎａｔｉｏｎａｌ　Ｆｅｄｅｒａｔｉｏｎ　ｏｆ　Ｐｈｏｎｏｇｒａｍ　ａｎｄ　Ｖｉｄｅｏ　Ｉｎｄｕｓｔｒｉｅｓ）を示し、「Ｌ２３１〜７」が日本ビクター株式会社のＩＦＰＩマスタリングコードを示している。また、ＩＳＲＣコードは１２文字で構成され、第１〜第５文字は６ビット、第６〜第１２文字は４ビットで構成されている（６ビット分はブランク）。
【００７０】
ここで、上記実施形態では、２＋６チャネルをｆｓ＝４８ｋＨｚ、量子化ビット数＝２０又は２４ビットで記録することが望ましいと述べたが、現状の２チャネルではＣＤ規格のｆｓ＝４４．１ｋＨｚ、量子化ビット数＝１６ビットが普及している。そこで、このようなＣＤ規格の再生装置を有するユーザの利便性を考慮すると、図２９に示すように２チャネルについてはこの規格に合うようにｆｓ＝４４．１ｋＨｚ、８８．２ｋＨｚ、量子化ビット数＝１６、２０、２４ビットなどで記録するようにしてもよい。また、この場合にも同様に、１枚のディスクに対して、例えば複数の曲を記録する場合に、ある曲については２＋６チャネルで記録し、他の曲については６チャネルのみで記録するようにしてもよい。また図３０に示すように、６チャネルのみで記録する曲のサンプリング周波数と量子化ビット数については、２＋６チャネルで記録する曲の６チャネル分のそれと異なるように、例えばより高品質で記録するようにしてもよい。
【００７１】
次に、第２の実施形態について説明する。図３１は第２の実施形態としてＤＶＤ−Ｖａｎ（ビデオ＋オーディオナビゲーション）ディスクの基本フォーマットを示し、図３２は図３１の実施形態のＡＣＢＵ及びＶＣＢＵを示し、図３３は第２の実施形態のＡＣＤ（オーディオキャラクタディスプレイ）情報の他の例を示し、図３４は第２の実施形態のＡＳＤ（オーディオサーチデータ）を示し、図３５は図３１のＣＯＮＴパックを詳しく示し、図３６は図３５のＰＣＩデータを詳しく示し、図３７は図３６のＰＣＩ一般情報を詳しく示し、図３８は図３６の記録情報を詳しく示し、図３９は図３５のＤＳＩを詳しく示し、図４０は図３９のＤＳＩ一般情報を詳しく示し、図４１は図３９のシームレス再生情報を詳しく示し、図４２は図３９のシームレス用アングル情報によるシームレス・アングル変更の概念を示し、図４３は図３９のＶＯＢＵサーチ情報の一例を示し、図４４は図３９のＶＯＢＵサーチ情報を詳しく示し、図４５は図３９の同期情報を詳しく示している。
また、図４６は第１、第２の実施形態のディスクのリードインエリアの構成を示し、図４７は図４６のコントロールデータブロックを詳しく示し、図４８は図４７のフィジカル・フォーマット・インフォメーションを詳しく示している。
【００７２】
ここで、上記第１の実施形態では、オーディオプレーヤがＡパックの再生を制御するために、図１４に詳しく示すＡ−ＣＯＮＴパック内のＡＳＤ（オーディオサーチデータ）を用いており、このときシームレス再生する時には現在番号及び現在時刻に基づいており、また、ジャンプ再生する時にはタイトルセットサーチ、タイトルサーチ、トラックサーチ、インデックスサーチ、ハイライトサーチのサーチ情報に基づいている。
【００７３】
これに対し、この第２の実施形態のＤＶＤ−Ｖａｎディスクでは、各種のＤＶＤプレーヤを用いて再生可能なように、その基本フォーマットは図３１（ａ）に示すように、大別して先頭のビデオマネージャ（ＶＭＧ）及びオーディオマネージャ（ＡＭＧ）と、それに続く複数のビデオタイトルセット（ＶＴＳ）及びオーディオタイトルセット（ＡＴＳ）の各エリアにより構成されている。すなわち、このＤＶＤ−Ｖａｎディスクの基本フォーマットは、図１（ａ）に示すＤＶＤビデオディスクと図１（ｂ）、図３１（ｂ）に示すＤＶＤオーディオディスクの両方を含んでいる。なお、これらＡＭＧとＡＴＳは図１（ｂ）、図３１（ｂ）に示したＡＭＧとＡＴＳと同じ機能を持つので説明を省略する。
【００７４】
そして、ＶＴＳ及びＡＴＳの各々はそれぞれ、先頭のＶＴＳインフォメーション（ＶＴＳＩ）及びＡＴＳインフォメーション（ＡＴＳＩ）と、それに続く１以上のビデオコンテンツブロックセット（ＶＣＢＳ）及びオーディオコンテンツブロックセット（ＡＣＢＳ）と、最後のＶＴＳＩ及びＡＴＳＩにより構成されている。また、ＶＣＢＳの各々は複数のＶＣＢにより構成され、他方、ＡＣＢＳの各々は複数のＡＣＢにより構成されている。ＶＣＢの各々はビデオの１タイトル分であり、ＡＣＢの各々はこれに対応してオーディオの１タイトル分である。ＶＣＢの各々（１タイトル）は複数のチャプタにより構成され、他方、ＡＣＢの各々（１タイトル）はこれに対応して複数のトラックにより構成されている。チャプタはパートオブタイトル（ＰＴＴ）を含み、トラックはパートオブタイトル（ＰＴＴ）を含む。
【００７５】
チャプタの各々は複数のセルにより構成され、他方、トラックの各々はこれに対応して複数のインデックスにより構成されている。セルの各々は複数のＶＣＢユニット（ＶＣＢＵ）により構成され、他方、インデックスの各々はこれに対応して複数のＡＣＢユニット（ＡＣＢＵ）により構成されている。そして、ＶＣＢユニット（ＶＣＢＵ）は図３２に詳しく示すようにＡ−ＣＯＮＴパックは含まず、先頭のＣＯＮＴパックと、比較的多い数のＡパックと比較的少ない数のＶパックにより構成されている。また、このＡＣＢＵはＶパックの後の最初のＡパックを先頭としてＶＣＢＵと略同じ間隔の０．４〜１．０秒分の任意の数のパックにより構成されている。ここで、ＶＣＢＵはＤＶＤビデオ規格ではＶＯＢＵとも呼ばれている。
【００７６】
そして、ＡＣＢＵがＡ−ＣＯＮＴパックを含まないので、第１の実施形態においてＡ−ＣＯＮＴパック内に含まれていたＡＣＤパケットとＡＳＤパケットは図３１（ａ）に示すＶＭＧ（ビデオマネージャ）とＶＴＳ（ビデオタイトルセット）の一方又は両方に配置される。
【００７７】
ここで、第１の実施形態のＡＣＤパケットは、ＡＣＢユニット毎（０．５〜１．０秒毎）に１つ設けられるＡ−ＣＯＮＴパック内に設けられているので多数の画面分のデータを収容することができるが、第２の実施形態ではＶＭＧ（ビデオマネージャ）とＡＭＧ（オーディオマネージャ）やＶＴＳ（ビデオタイトルセット）とＡＴＳ（オーディオタイトルセット）のように、ＤＶＤビデオディスクとＤＶＤオーディオディスクの両方のデータを収容するので、収容データ量が制限され、したがって、曲毎や楽章毎のタイトル名などのみの比較的少ないデータ量で収容される。また、以下に詳しく示すオーディオ再生制御情報も１種類程度で収容してもよい。
【００７８】
また、このＡＣＤパケット内のＡＣＤエリアは第１の実施形態（図１５）のように第１の言語の文字「１」と第２の言語の文字「２」のデータを有するように構成してもよいが、代わりに図３３に示すように文字「２」に関するデータを省略して、４８バイトのジェネラル情報エリアと、例えば図１６に示すような楽曲名などのいわゆる「オーディオ・ナビゲーション」を表示するための１つの言語の文字「１」に関する２９４バイトのエリアと２９４バイトのオーディオ再生制御情報エリアにより構成してもよい。文字「１」のエリアは、第１の実施形態と同様に９３バイトのネームスペースエリアと、各々９３バイトの２つのフリースペースエリアと、１５バイトのデータポインタエリアにより構成されている。
【００７９】
オーディオ再生制御情報エリアの内容は任意であり、例えば各々２５バイトの１０種類分のオーディオ再生制御情報エリア（２５０バイト）と４４バイトの保留エリアにより構成される。１種類分のオーディオ再生制御情報エリアには２０バイトのグラフィックイコライザ情報と、３バイトのレベルバランス情報と２バイトの残響付加情報が配置され、この情報はユーザにより選択されてオーディオ信号の音質が制御される。これらのオーディオ再生制御情報は、Ａパックに配置されている楽曲をユーザが再生する場合に、例えばその楽曲のジャンル（クラシック、ジャズ、ロック、ＢＧＭ）に応じて、また、同一ジャンルであってもその楽曲の演奏状態、録音状態、雰囲気などに応じて再生時の音質が最も良くなるようにいわゆるプロのミキサが推奨するデータである。保留エリアにはオーディオ信号のチャネル数が６の場合、チャネル数を２にミクスダウンしてステレオ再生できるようなミキシング係数を収納させる。
【００８０】
また、Ａパックをシームレス再生する時にはＣＯＮＴパックを用いるので、ＡＳＤは図３４に示すように、第１の実施形態（図１７）における８バイトの現在の番号情報と１６バイトの現在時刻情報が省略され、その分が保留エリア（７６バイト）として用いられている。このため、第１の実施形態のようにきめ細かい表示や再生制御はできないが、第１の実施形態のようにＤＶＤオーディオディスク専用プレーヤのみが再生でき、ＤＶＤビデオディスク専用プレーヤが再生できないディスクが普及するまでの過渡期において有効なオーディオディスクを実現することができる。
【００８１】
次に図３５を参照してＣＯＮＴパックの構成について詳しく説明する。このＣＯＮＴパックはＤＶＤビデオ規格ではナビゲーション・パック、通称ナビ（ＮＶ）パックと呼ばれており、１４バイトのパックヘッダと、２４バイトのシステムヘッダと、ＰＣＩ（プレゼンテーション・コントロール・インフォメーション）パケットとＤＳＩ（データ・サーチ・インフォメーション）パケットにより構成されている。ＰＣＩは再生制御情報と呼ばれており、このＰＣＩパケットは６バイトのパケットヘッダと、１バイトのサブストリームＩＤと図３６に詳しく示す９７９バイトのＰＣＩデータにより構成され（合計９８６バイト）、また、ＤＳＩパケットは６バイトのパケットヘッダと、１バイトのサブストリームＩＤと図３９に詳しく示す１０１７バイトのＤＳＩにより構成されている（合計１０２４バイト）。
【００８２】
ＰＣＩデータはＶＯＢＵの再生を制御するナビゲーション・データであり、図３６に詳しく示すように６０バイトのＰＣＩ一般情報（ＰＣＩ　ＧＩ）と、３６バイトの非シームレス用アングル情報（ＮＳＭＬ　ＡＧＬＩ）と、６９４バイトのハイライト情報（ＨＬＩ）と１８９バイトの記録情報（ＲＥＣＩ）の４つの情報により構成されている。
【００８３】
ＰＣＩ一般情報は図３７に詳しく示すように、
・４バイトの「ＮＶパック（＝ＣＯＮＴパック）のＬＢＮ」（ＮＶ　ＰＣＫ　ＬＢＮ）と、
・２バイトの「ＶＯＢＵのカテゴリ」（ＶＯＢＵ　ＣＡＴ）と、
・２バイトの保留エリアと、
・４バイトの「ＶＯＢＵのユーザ操作制御情報」（ＶＯＢＵ　ＵＯＰ　ＣＴＬ）と、
・４バイトの「ＶＯＢＵの開始ＰＴＭ」（ＶＯＢＵ　Ｓ　ＰＴＭ）と、
・４バイトの「ＶＯＢＵの終了ＰＴＭ」（ＶＯＢＵ　Ｅ　ＰＴＭ）と、
・４バイトの「ＶＯＢＵ内シーケンス・エンドの終了ＰＴＭ」（ＶＯＢＵ　ＳＥＳ　ＰＴＭ）と、
・４バイトの「セル内経過時間」（Ｃ　ＥＬＴＭ）と、
・３２バイトの保留エリアにより構成されている。
【００８４】
「ＮＶパックのＬＢＮ」（ＮＶ　ＰＣＫ　ＬＢＮ）には、本ＰＣＩが含まれるＮＶパックのアドレスが本ＰＣＩが含まれるＶＯＢＳの先頭ＬＢからＲＬＢＮで記述されており、また、「ＶＯＢＵのカテゴリ」（ＶＯＢＵ　ＣＡＴ）には、本ＶＯＢＵのアナログ・プロテクション・システム（ＡＰＳ）の状態が記述されている。
【００８５】
図３６に示した非シームレス用アングル情報（ＮＳＭＬ　ＡＧＬＩ）は、アングル変更時の行き先アドレスに関する情報であり、また、アングル・セル変更が非シームレスに変更されるとき、すなわちシームレス・アングル変更フラグが「非シームレス」に設定されている場合のみ、有効である。図３６に示したハイライト情報（ＨＬＩ）はサブピクチャ表示領域内の一矩形領域をハイライトする情報であり、この情報に基づいて特定矩形領域内のビデオとサブピクチャの色の混合比（コントラスト）を変更することができる。また、各サブピクチャ・ストリームのサブピクチャ・ユニット（ＳＰＵ）の再生期間は、ハイライト情報（ＨＬＩ）の有効期間と同一である。
【００８６】
図３６に示した記録情報（ＲＥＣＩ）は図３８に詳しく示すように、
・１０バイトの「ビデオストリーム内のビデオデータのＩＳＲＣ」（ＩＳＲＣ　Ｖ）と、
・１０バイトの「デコーディング・オーディオ・ストリーム＃０内オーディオデータのＩＳＲＣ」（ＩＳＲＣ　Ａ０）と、
・１０バイトの「デコーディング・オーディオ・ストリーム＃１内オーディオデータのＩＳＲＣ」（ＩＳＲＣ　Ａ１）と、
・１０バイトの「デコーディング・オーディオ・ストリーム＃２内オーディオデータのＩＳＲＣ」（ＩＳＲＣ　Ａ２）と、
・１０バイトの「デコーディング・オーディオ・ストリーム＃３内オーディオデータのＩＳＲＣ」（ＩＳＲＣ　Ａ３）と、
・１０バイトの「デコーディング・オーディオ・ストリーム＃４内オーディオデータのＩＳＲＣ」（ＩＳＲＣ　Ａ４）と、
・１０バイトの「デコーディング・オーディオ・ストリーム＃５内オーディオデータのＩＳＲＣ」（ＩＳＲＣ　Ａ５）と、
・１０バイトの「デコーディング・オーディオ・ストリーム＃６内オーディオデータのＩＳＲＣ」（ＩＳＲＣ　Ａ６）と、
・１０バイトの「デコーディング・オーディオ・ストリーム＃７内オーディオデータのＩＳＲＣ」（ＩＳＲＣ　Ａ７）と、
・１０バイトの「デコーディング・ＳＰストリーム＃０、＃８、＃１６又は＃２４内ＳＰデータのＩＳＲＣ」（ＩＳＲＣ　ＳＰ０）と、
・１０バイトの「デコーディング・ＳＰストリーム＃１、＃９、＃１７又は＃２５内ＳＰデータのＩＳＲＣ」（ＩＳＲＣ　ＳＰ１）と、
・１０バイトの「デコーディング・ＳＰストリーム＃２、＃１０、＃１８又は＃２６内ＳＰデータのＩＳＲＣ」（ＩＳＲＣ　ＳＰ２）と、
・１０バイトの「デコーディング・ＳＰストリーム＃３、＃１１、＃１９又は＃２７内ＳＰデータのＩＳＲＣ」（ＩＳＲＣ　ＳＰ３）と、
・１０バイトの「デコーディング・ＳＰストリーム＃４、＃１２、＃２０又は＃２８内ＳＰデータのＩＳＲＣ」（ＩＳＲＣ　ＳＰ４）と、
・１０バイトの「デコーディング・ＳＰストリーム＃５、＃１３、＃２１又は＃２９内ＳＰデータのＩＳＲＣ」（ＩＳＲＣ　ＳＰ５）と、
・１０バイトの「デコーディング・ＳＰストリーム＃６、＃１４、＃２２又は＃３０内ＳＰデータのＩＳＲＣ」（ＩＳＲＣ　ＳＰ６）と、
・１０バイトの「デコーディング・ＳＰストリーム＃７、＃１５、＃２３又は＃３１内ＳＰデータのＩＳＲＣ」（ＩＳＲＣ　ＳＰ７）と、
・１バイトの「ＩＳＲＣ用に選択されたＳＰストリームのグループ」（ＩＳＲＣＳＰ　ＳＥＬ）と、
・１８バイトの保留エリアにより構成されている。
【００８７】
図３５に示したデータサーチ情報（ＤＳＩ）はデータをサーチして、ＶＯＢＵのシームレス再生を実行するためのナビゲーションデータであり、図３９に詳しく示すように
・３２バイトのＤＳＩ一般情報（ＤＳＩ　ＧＩ）と、
・１４８バイトのシームレス再生情報（ＳＭＬ　ＰＢＩ）と、
・５４バイトのシームレス用アングル情報（ＳＭＬ　ＡＧＬＩ）と、
・１６８バイトのＶＯＢＵサーチ情報（ＶＯＢＵ　ＳＲＩ）と、
・１４４バイトの同期情報（ＳＹＮＣＩ）と、
・４７１バイトの保留エリアにより構成されている。
【００８８】
ＤＳＩ一般情報（ＤＳＩ　ＧＩ）は図４０に詳しく示すように
・４バイトの「ＮＶ　ＰＣＫのＳＣＲベース」（ＮＶ　ＰＣＫ　ＳＣＲ）と、
・４バイトの「ＮＶ　ＰＣＫのＬＢＮ」（ＮＶ　ＰＣＫ　ＬＢＮ）と、
・４バイトの「ＶＯＢＵの終了アドレス」（ＶＯＢＵ　ＥＡ）と、
・４バイトの「ＶＯＢＵの第１リファレンス・ピクチャの終了アドレス」（ＶＯＢＵ　１ＳＴＲＥＦ　ＥＡ）と、
・４バイトの「ＶＯＢＵの第２リファレンス・ピクチャの終了アドレス」（ＶＯＢＵ　２ＮＤＲＥＦ　ＥＡ）と、
・４バイトの「ＶＯＢＵの第３リファレンス・ピクチャの終了アドレス」（ＶＯＢＵ　３ＲＤＲＥＦ　ＥＡ）と、
・２バイトの「ＶＯＢＵのＶＯＢ　ＩＤ番号」（ＶＯＢＵ　ＶＯＢ　ＩＤＮ）と、
・１バイトの保留エリアと、
・１バイトの「ＶＯＢＵのセルＩＤ番号」（ＶＯＢＵ　Ｃ　ＩＤＮ）と、
・４バイトの「セル経過時間」（Ｃ　ＥＬＴＭ）により構成されている。
【００８９】
図３９に示したシームレス再生情報（ＳＭＬ　ＰＢＩ）は、図４１に詳しく示すように
・２バイトの「シームレスＶＯＢＵのカテゴリ」（ＶＯＢＵ　ＳＭＬ　ＣＡＴ）と、
・４バイトの「インタリーブド・ユニットの終了アドレス」（ＩＬＶＵ　ＥＡ）と、
・４バイトの「次のインタリーブド・ユニットの開始アドレス」（ＮＸＴ　ＩＬＶＵ　ＳＡ）と、
・２バイトの「次のインタリーブド・ユニットのサイズ」（ＮＸＴ　ＩＬＶＵ　ＳＺ）と、
・４バイトの「ＶＯＢ内のビデオの開始ＰＴＭ」（ＶＯＢ　Ｖ　Ｓ　ＰＴＭ）と、
・４バイトの「ＶＯＢ内のビデオの終了ＰＴＭ」（ＶＯＢ　Ｖ　Ｅ　ＰＴＭ）と、
・８バイト×８の「ＶＯＢ内のオーディオの終了ＰＴＭ」（ＶＯＢ　Ａ　ＳＴＰＰＴＭ）と、
・８バイト×８の「ＶＯＢ内のオーディオのギャップ長」（ＶＯＢ　Ａ　ＧＡＰＬＥＮ）により構成されている。
【００９０】
図３９に示したシームレス用アングル情報は、図４２に示すようにアングル変更時の行き先アドレスに関する情報であり、アングル変更がシームレスで実行される場合、すなわちシームレス・アングル変更フラグが「シームレス」に設定されている場合にのみ、有効である。
【００９１】
図３９に示したＶＯＢＵサーチ情報（ＶＯＢＵ　ＳＲＩ）には、図４３に示すようにこのセルで、本ＤＳＩが含まれるＶＯＢＵの再生開始時刻の前後０．５×ｎ秒に再生されるＶＯＢＵの先頭アドレスが記述され、また、１つのセル内でのみ有効である。この情報は図４４に詳しく示すように、
・４バイトの「ビデオデータを持つ次のＶＯＢＵ先頭アドレス」（ＦＷＤＩ　Ｖｉｄｅｏ）と、
・４バイトの「＋２４０ＶＯＢＵ先頭アドレスとビデオ存在フラグ」（ＦＷＤＩ２４０）と、
・４バイトの「＋１２０ＶＯＢＵ先頭アドレスとビデオ存在フラグ」（ＦＷＤＩ１２０）と、
・４バイトの「＋６０ＶＯＢＵ先頭アドレスとビデオ存在フラグ」（ＦＷＤＩ　６０）と、
・４バイトの「＋２０ＶＯＢＵ先頭アドレスとビデオ存在フラグ」（ＦＷＤＩ　２０）と、
・４バイトの「＋１５ＶＯＢＵ先頭アドレスとビデオ存在フラグ」（ＦＷＤＩ　１５）と、
・４バイトの「＋１４ＶＯＢＵ先頭アドレスとビデオ存在フラグ」（ＦＷＤＩ　１４）と、
・４バイトの「＋１３ＶＯＢＵ先頭アドレスとビデオ存在フラグ」（ＦＷＤＩ　１３）と、
・４バイトの「＋１２ＶＯＢＵ先頭アドレスとビデオ存在フラグ」（ＦＷＤＩ　１２）と、
・４バイトの「＋１１ＶＯＢＵ先頭アドレスとビデオ存在フラグ」（ＦＷＤＩ　１１）と、
・４バイトの「＋１０ＶＯＢＵ先頭アドレスとビデオ存在フラグ」（ＦＷＤＩ　１０）と、
・４バイトの「＋９ＶＯＢＵ先頭アドレスとビデオ存在フラグ」（ＦＷＤＩ　９）と、
・４バイトの「＋８ＶＯＢＵ先頭アドレスとビデオ存在フラグ」（ＦＷＤＩ　８）と、
・４バイトの「＋７ＶＯＢＵ先頭アドレスとビデオ存在フラグ」（ＦＷＤＩ　７）と、
・４バイトの「＋６ＶＯＢＵ先頭アドレスとビデオ存在フラグ」（ＦＷＤＩ　６）と、
・４バイトの「＋５ＶＯＢＵ先頭アドレスとビデオ存在フラグ」（ＦＷＤＩ　５）と、
・４バイトの「＋４ＶＯＢＵ先頭アドレスとビデオ存在フラグ」（ＦＷＤＩ　４）と、
・４バイトの「＋３ＶＯＢＵ先頭アドレスとビデオ存在フラグ」（ＦＷＤＩ　３）と、
・４バイトの「＋２ＶＯＢＵ先頭アドレスとビデオ存在フラグ」（ＦＷＤＩ　２）と、
・４バイトの「＋１ＶＯＢＵ先頭アドレスとビデオ存在フラグ」（ＦＷＤＩ　１）と、
・４バイトの「次のＶＯＢＵ先頭アドレスとビデオ存在フラグ」（ＦＷＤＩ　Ｎｅｘｔ）と、
・４バイトの「前のＶＯＢＵ先頭アドレスとビデオ存在フラグ」（ＢＷＤＩ　Ｐｒｅｖ）と、
・４バイトの「−１ＶＯＢＵ先頭アドレスとビデオ存在フラグ」（ＢＷＤＩ　１）と、
・４バイトの「−２ＶＯＢＵ先頭アドレスとビデオ存在フラグ」（ＢＷＤＩ　２）と、
・４バイトの「−３ＶＯＢＵ先頭アドレスとビデオ存在フラグ」（ＢＷＤＩ　３）と、
・４バイトの「−４ＶＯＢＵ先頭アドレスとビデオ存在フラグ」（ＢＷＤＩ　４）と、
・４バイトの「−５ＶＯＢＵ先頭アドレスとビデオ存在フラグ」（ＢＷＤＩ　５）と、
・４バイトの「−６ＶＯＢＵ先頭アドレスとビデオ存在フラグ」（ＢＷＤＩ　６）と、
・４バイトの「−７ＶＯＢＵ先頭アドレスとビデオ存在フラグ」（ＢＷＤＩ　７）と、
・４バイトの「−８ＶＯＢＵ先頭アドレスとビデオ存在フラグ」（ＢＷＤＩ　８）と、
・４バイトの「−９ＶＯＢＵ先頭アドレスとビデオ存在フラグ」（ＢＷＤＩ　９）と、
・４バイトの「−１０ＶＯＢＵ先頭アドレスとビデオ存在フラグ」（ＢＷＤＩ　１０）と、
・４バイトの「−１１ＶＯＢＵ先頭アドレスとビデオ存在フラグ」（ＢＷＤＩ　１１）と、
・４バイトの「−１２ＶＯＢＵ先頭アドレスとビデオ存在フラグ」（ＢＷＤＩ　１２）と、
・４バイトの「−１３ＶＯＢＵ先頭アドレスとビデオ存在フラグ」（ＢＷＤＩ　１３）と、
・４バイトの「−１４ＶＯＢＵ先頭アドレスとビデオ存在フラグ」（ＢＷＤＩ　１４）と、
・４バイトの「−１５ＶＯＢＵ先頭アドレスとビデオ存在フラグ」（ＢＷＤＩ　１５）と、
・４バイトの「−２０ＶＯＢＵ先頭アドレスとビデオ存在フラグ」（ＢＷＤＩ　２０）と、
・４バイトの「−６０ＶＯＢＵ先頭アドレスとビデオ存在フラグ」（ＢＷＤＩ　６０）と、
・４バイトの「−１２０ＶＯＢＵ先頭アドレスとビデオ存在フラグ」（ＢＷＤＩ１２０）と、
・４バイトの「−２４０ＶＯＢＵ先頭アドレスとビデオ存在フラグ」（ＢＷＤＩ２４０）と、
・４バイトの「ビデオデータを持つ前のＶＯＢＵ先頭アドレス」（ＢＷＤＩ　Ｖｉｄｅｏ）により構成されている。
【００９２】
図３９に示した同期情報（ＳＹＮＣＩ）は、本ＤＳＩが含まれるＶＯＢＵのビデオデータと同期して再生されるオーディオデータとサブピクチャデータのアドレス情報であり、図４５に詳しく示すように
・２バイト×８の「対象オーディオパック（Ａ　ＰＣＫ）のアドレス」（Ａ　ＳＹＮＣＡ　０　ｔｏ　７）と、
・４バイト×３２の「対象サブピクチャパック（ＳＰ　ＰＣＫ）用ＶＯＢＵ先頭アドレス」（ＳＰ　ＳＹＮＣＡ　０　ｔｏ　３１）により構成されている。
【００９３】
次に第１、第２の実施形態のディスクの識別子について説明する。ＤＶＤの記録エリアは、図４６に示すように概略的にリードインエリアとデータエリアにより構成されている。また、ＤＶＤのリードインエリアは
・リードインスタートからセクタ番号「０２Ｆ０００ｈ」の前までのオール００ｈのブロックと、
・セクタ番号「０２Ｆ０００ｈ」からセクタ番号「０２Ｆ０２０ｈ」の前までの２ブロック分のリファレンスコードブロックと、
・セクタ番号「０２Ｆ０２０ｈ」からセクタ番号「０２Ｆ２００ｈ」の前までの３０ブロック分のオール００ｈのブロックと、
・セクタ番号「０２Ｆ２００ｈ」からセクタ番号「０２ＦＥ００ｈ」の前までの１９２ブロック分のコントロールデータブロックと、
・セクタ番号「０２ＦＥ００ｈ」からセクタ番号「０３００００ｈ」の前までの３２ブロック分のオール００ｈのブロックにより構成されている。
【００９４】
また、データエリアの先頭（セクタ番号「０３００００ｈ」）からはＩＳＯ９６６０とマイクロＵＤＦ（ユニバーサル・ディスク・フォーマット）のデータが記録され、次にオーディオタイトルセット（ＴＳ）、ビデオＴＳ、コンピュータＴＳなどが記録される。
【００９５】
上記のリードインエリアにおけるコントロールデータブロックは図４７に示すように、フィジカル・フォーマット・インフォメーションのセクタと、ディスク製造インフォメーションのセクタと、著作権インフォメーションのセクタにより構成されている。また、フィジカル・フォーマット・インフォメーションのセクタは図４８に示すように、ブックタイプ及びパートバージョンのエリアと、ディスクサイズ及びミニマムリードアウトレートのエリアと、ディスク構造のエリアと、記録密度のエリアと、データエリアアロケーションのエリアなどにより構成されている。
【００９６】
そして、ブックタイプ及びパートバージョンのエリアはディスク識別子として割り当てられ、その上位ビットにより、
・「ＤＶＤ−ＲＯＭディスク」か、
・「ＤＶＤ−ＲＡＭディスク」か又は
・「ＤＶＤ−ライトワンス（Ｗｒｉｔｅ　Ｏｎｃｅ）ディスク」かが示され、さらに「ＤＶＤ−ＲＯＭディスク」の場合には、下位ビットにより
・「コンピュータプログラム・ディスク」か、
・「純粋ビデオ・ディスク」か、
・「ビデオ＋オーディオ・ナビゲーション・ディスク：Ｖａｎディスク」か又は・「オーディオ・ディスク」か
を示す識別子が記述される。
【００９７】
したがって、このブックタイプ及びパートバージョンにより、第１の実施形態に係るディスクには「ＤＶＤ−ＲＯＭ−オーディオディスク」を示すディスク識別子が記述され、また、第２の実施形態に係るディスクには「ＤＶＤ−ＲＯＭ−Ｖａｎディスク」を示すディスク識別子が記述される。また、「ＤＶＤ−ＲＯＭ−純粋ビデオ・ディスク」には曲や楽章の頭出し情報などのＴＯＣ情報が設けられていないが、第１の実施形態の「ＤＶＤ−ＲＯＭ−オーディオディスク」と第２の実施形態の「ＤＶＤ−ＲＯＭ−Ｖａｎディスク」のリードインエリアにはこのＴＯＣ情報が設けられる。このＴＯＣ情報はＳＡＰＰともいわれる。
【００９８】
次に、上記のようにフォーマット化されたデジタルオーディオ信号を通信回線（ネットワーク）を介して伝送する実施例を説明する。図５０は図１９に示す構成に対して、記録部１９と通信Ｉ／Ｆ（インタフェース）２０が追加されたエンコード装置を示している。図５０において、ＤＶＤフォーマット化部６によりフォーマット化されてコンテンツ暗号部７により暗号化されたデータは、変調回路８により記録媒体に応じた変調方式で変調されてこの変調データに基づいて記録媒体が製造されたり、記録部１９にいったん記録されたり、通信Ｉ／Ｆ２０及び通信回線を介して伝送される。また、通信回線及び通信Ｉ／Ｆ２０を介して受信したデータが記録部１９にいったん記録されるなどして変調回路８に供給される。
【００９９】
上記のようにフォーマット化されたデジタルオーディオ信号を通信回線（ネットワーク）を介して送信する場合には、図５１に示すように通信Ｉ／Ｆ２０内の不図示の送信バッファに蓄えられた送信データを所定長に分割してパケット化し（ステップＳ７１）、次いでパケットの先頭に宛先アドレスを含むヘッダを付与し（ステップＳ７２）、次いでこれをネットワーク上に出力する（ステップＳ７３）。
【０１００】
上記のようにフォーマット化されたデジタルオーディオ信号を通信回線（ネットワーク）を介して受信する場合には、図５２に示すようにネットワークから受信したパケットからヘッダを除去し（ステップＳ８１）、次いで受信データを復元し（ステップＳ８２）、次いでこれを記録部１９内のメモリに転送する（ステップＳ８３）。この受信データは図２３に示すデコード装置によりデコードすることができる。
【０１０１】
ここで、オーディオ信号の量子化方法は、ＰＣＭ方式の代わりに１ビットストリームデータでもよい。なお、１ビットストリームデータは１ビットのΔΣ変調信号で表す信号であり、ＤＳＤデータとも言われている。図５３（Ａ）、（Ｂ）はＰＣＭ方式の量子化及び逆量子化方法例を示し、図５３（Ｃ）は１６ビットのΔΣ変調による量子化及び逆量子化方法例を示し、図５３（Ｄ）は１ビットのΔΣ変調変調による量子化及び逆量子化方法例を示している。
【０１０２】
なお、１ビットストリームデータはＰＣＭ方式より高能率圧縮が可能である。例えば図２９にはＰＣＭ方式の量子化例として
２チャネル：８８．２ｋＨｚ／２４ビット（４．２３４Ｍｂｐｓ）
６チャネル：４４．１ｋＨｚ／１６ビット（４．２３４Ｍｂｐｓ）
が記載されている。そこで、この代わりに１ビットストリーム方式で量子化すると、
２チャネル：８８．２×２４ｋＨｚ／１ビット（４．２３４Ｍｂｐｓ）
６チャネル：４４．１×１６ｋＨｚ／１ビット（４．２３４Ｍｂｐｓ）
になるが、例えば１／２に圧縮すれば、
６チャネル：８８．２×１６ｋＨｚ×１／２／１ビット（４．２３４Ｍｂｐｓ）
で量子化することができる。したがって、この場合には、データ量が多いマルチチャネル信号のサンプリング周波数を２チャネル信号と同じとすることができるので、２チャネルと６チャネルの周波数帯域を同じにして記録することができる。
【０１０３】
【発明の効果】
以上説明したように本発明によれば、２チャネル方式のオーディオデータとマルチチャネル方式の高品質オーディオデータの両方を伝送する場合に、コピー管理データをディスクに記録して、２チャネルとマルチチャネルのオーディオソースのコピーを管理するようにしたので　、そのコピープロテクトの問題点を解決することができる。
また、マルチチャネルの個々のチャネルのデジタル音声信号の量子化ビット数、サンプリング周波数を録音者側が任意に選択可能にして、個々のチャネルのデジタル音声信号とその量子化ビット数、サンプリング周波数をデジタルディスクに記録し、ＤＶＤオーディオディスクプレーヤ側でこの量子化ビット数、サンプリング周波数に基づいて個々のチャネルのデジタル音声信号をＤ／Ａ変換可能にしたので、録音者側が録音時間や音質が異なるようにまた、略一定の録音時間で録音することができ、また、録音されたオーディオ信号の録音時間や音質が異なっても１種類のプレーヤで再生することができる。
【図面の簡単な説明】
【図１】ＤＶＤ−ビデオのフォーマットと、本発明に係るＤＶＤ−オーディオのフォーマットの一実施形態を示す説明図である。
【図２】図１のオーディオマネージャ（ＡＭＧ）のフォーマットを詳しく示す説明図である。
【図３】図１のオーディオタイトルセット（ＡＴＳ）のフォーマットを詳しく示す説明図である。
【図４】図２のオーディオマネージャインフォメーション（ＡＭＧＩ）のフォーマットを詳しく示す説明図である。
【図５】図４のオーディオタイトルセット・アトリビュートテーブル（ＡＴＳ−ＡＴＲＴ）のフォーマットを詳しく示す説明図である。
【図６】図５のオーディオタイトルセット・アトリビュートデータ（ＡＴＳ−ＡＴＲ）のフォーマットを詳しく示す説明図である。
【図７】図３のオーディオタイトルセットインフォメーション（ＡＴＳＩ）のフォーマットを詳しく示す説明図である。
【図８】図７のオーディオタイトルセットインフォメーション・マネージメントテーブル（ＡＴＳＩ−ＭＡＴ）のフォーマットを詳しく示す説明図である。
【図９】図８のオーディオタイトルセットメニュー・オーディオストリーム・アトリビュートデータ（ＡＴＳＭ−ＡＳＴ−ＡＴＲ）を詳しく示す説明図である。
【図１０】図８のオーディオタイトルセット・オーディオストリーム・アトリビュートテーブル（ＡＴＳ−ＡＳＴ−ＡＴＲＴ）のフォーマットを詳しく示す説明図である。
【図１１】図１０の各オーディオストリームのアトリビュートデータ（ＡＴＳ−ＡＳＴ−ＡＴＲ）を詳しく示す説明図である。
【図１２】図１のオーディオコンテンツブロックユニット（ＡＣＢＵ）を示す説明図である。
【図１３】図１２のオーディオパックとビデオパックのフォーマットを詳しく示す説明図である。
【図１４】図１２のオーディオコントロール（Ａ−ＣＯＮＴ）パックのフォーマットを詳しく示す説明図である。
【図１５】図１４のオーディオキャラクタディスプレイ（ＡＣＤ）エリアのフォーマットを詳しく示す説明図である。
【図１６】図１５のネームスペース情報により表示される例を示す説明図である。
【図１７】図１４のオーディオサーチデータ（ＡＳＤ）エリアのフォーマットを詳しく示す説明図である。
【図１８】図１のオーディオコンテンツブロックユニットの変形例を示す説明図である。
【図１９】本発明に係るオーディオデータのエンコード装置を示すブロック図である。
【図２０】本発明に係るオーディオディスクに記録される２チャネルとマルチチャネルのサンプリング周波数と量子化ビット数を示す説明図である。
【図２１】本発明に係るオーディオディスクに記録されるコピー管理データを示す説明図である。
【図２２】図２１のＣＧＭＣＡＰＳコードを詳しく示す説明図である。
【図２３】オーディオデータのデコード装置を示すブロック図である。
【図２４】図２３の再生装置の再生処理を示すフローチャートである。
【図２５】本発明に係るコピー処理を示すフローチャートである。
【図２６】第１の実施形態の変形例における２チャネルとマルチチャネルのサンプリング周波数と量子化ビット数を示す説明図である。
【図２７】第１の実施形態の変形例におけるリードインエリアを示す説明図である。
【図２８】図２７の著作権情報エリアを詳しく示す説明図である。
【図２９】第１の実施形態の他の変形例における２チャネルとマルチチャネルのサンプリング周波数と量子化ビット数を示す説明図である。
【図３０】第１の実施形態の更に他の変形例における２チャネルとマルチチャネルのサンプリング周波数と量子化ビット数を示す説明図である。
【図３１】第２の実施形態としてＤＶＤ−Ｖａｎディスクの基本フォーマットを示す説明図である。
【図３２】図３１の実施形態のＡＣＢＵ及びＶＣＢＵを示す説明図である。
【図３３】第２の実施形態のＡＣＤ（オーディオキャラクタディスプレイ）情報の他の例を示す説明図である。
【図３４】第２の実施形態のＡＳＤ（オーディオサーチデータ）を示す説明図である。
【図３５】図３１のＣＯＮＴパックを詳しく示す説明図である。
【図３６】図３４のＰＣＩデータを詳しく示す説明図である。
【図３７】図３６のＰＣＩ一般情報を詳しく示す説明図である。
【図３８】図３６の記録情報を詳しく示す説明図である。
【図３９】図３５のＤＳＩを詳しく示す説明図である。
【図４０】図３９のＤＳＩ一般情報を詳しく示す説明図である。
【図４１】図３９のシームレス再生情報を詳しく示す説明図である。
【図４２】図３９のシームレス用アングル情報によるシームレス・アングル変更の概念を示す説明図である。
【図４３】図３９のＶＯＢＵサーチ情報の一例を示す説明図である。
【図４４】図３９のＶＯＢＵサーチ情報を詳しく示す説明図である。
【図４５】図３９の同期情報を詳しく示す説明図である。
【図４６】第１、第２の実施形態のリードインエリアの構成を示す説明図である。
【図４７】図４６のコントロールデータブロックを詳しく示す説明図である。
【図４８】図４７のフィジカル・フォーマット・インフォメーションを詳しく示す説明図である。
【図４９】本発明に係るオーディオディスクにおけるオーディオパックのフォーマットを示す説明図である。
【図５０】オーディオ信号を通信回線を介して伝送する実施例におけるエンコード装置を示すブロック図である。
【図５１】オーディオ信号を通信回線を介して送信する処理を示すフローチャートである。
【図５２】オーディオ信号を通信回線を介して受信する処理を示すフローチャートである。
【図５３】ＰＣＭ方式と１ビットストリーム方式の量子化方法及び逆量子化方法を説明するためのブロック図である。
【符号の説明】
１、４　Ａ／Ｄ変換器
２、１４　信号処理回路
３、１５　メモリ
５　Ｖエンコーダ
６　ＤＶＤフォーマット化部（フォーマット化手段）
７　コンテンツ暗号部
８　変調回路
１１　復調回路
１２　スクランブル復号部
１３　ＤＶＤデ・フォーマット化部
１６　Ｄ／Ａ変換器
１７　Ｖデコーダ
１８　制御部（コピー管理手段）
【図１】
2004055122.tif 000003
【図２】
2004055122.tif 000004
【図３】
2004055122.tif 000005
【図４】
2004055122.tif 000006
【図５】
2004055122.tif 000007
【図６】
2004055122.tif 000008
【図７】
2004055122.tif 000009
【図８】
2004055122.tif 000010
【図９】
2004055122.tif 000011
【図１０】
2004055122.tif 000012
【図１１】
2004055122.tif 000013
【図１２】
2004055122.tif 000014
【図１３】
2004055122.tif 000015
【図１４】
2004055122.tif 000016
【図１５】
2004055122.tif 000017
【図１６】
2004055122.tif 000018
【図１７】
2004055122.tif 000019
【図１８】
2004055122.tif 000020
【図１９】
2004055122.tif 000021
【図２０】
2004055122.tif 000022
【図２１】
2004055122.tif 000023
【図２２】
2004055122.tif 000024
【図２３】
2004055122.tif 000025
【図２４】
2004055122.tif 000026
【図２５】
2004055122.tif 000027
【図２６】
2004055122.tif 000028
【図２７】
2004055122.tif 000029
【図２８】
2004055122.tif 000030
【図２９】
2004055122.tif 000031
【図３０】
2004055122.tif 000032
【図３１】
2004055122.tif 000033
【図３２】
2004055122.tif 000034
【図３３】
2004055122.tif 000035
【図３４】
2004055122.tif 000036
【図３５】
2004055122.tif 000037
【図３６】
2004055122.tif 000038
【図３７】
2004055122.tif 000039
【図３８】
2004055122.tif 000040
【図３９】
2004055122.tif 000041
【図４０】
2004055122.tif 000042
【図４１】
2004055122.tif 000043
【図４２】
2004055122.tif 000044
【図４３】
2004055122.tif 000045
【図４４】
2004055122.tif 000046
【図４５】
2004055122.tif 000047
【図４６】
2004055122.tif 000048
【図４７】
2004055122.tif 000049
【図４８】
2004055122.tif 000050
【図４９】
2004055122.tif 000051
【図５０】
2004055122.tif 000052
【図５１】
2004055122.tif 000053
【図５２】
2004055122.tif 000054
【図５３】
2004055122.tif 000055